(57)【要約】【課題】本発明は、従来にない作用効果を発揮する画期的な医療用ステープラを提供することを目的とする。【解決手段】本体10の裏面側に設けられる凹部１に、複数のステープル50を並設したステープル並設体２を嵌合装着して成る医療用ステープラであって、前記ステープル並設体２は、基板２’に前記ステープル50を整列並設させる整列並設部２ａが設けられたもので、このステープル並設体２は、前記凹部１に対して着脱自在に設けられたものである。【選択図】図１
2018027237.tif 000002
【特許請求の範囲】
【請求項１】
本体の裏面側に設けられる凹部に、複数のステープルを並設したステープル並設体を嵌合装着して成る医療用ステープラであって、前記ステープル並設体は、基板に前記ステープルを整列並設させる整列並設部が設けられたもので、このステープル並設体は、前記凹部に対して着脱自在に設けられていることを特徴とする医療用ステープラ。
【請求項２】
請求項１記載の医療用ステープラにおいて、前記凹部の開口縁には係止部が設けられ、また、前記ステープル並設体の基板縁には前記係止部と係止して該ステープル並設体により前記凹部を閉塞する被係止部が設けられていることを特徴とする医療用ステープラ。
【請求項３】
請求項２記載の医療用ステープラにおいて、前記被係止部と前記係止部との係止は、前記ステープル並設体を前記本体に対して前方へスライドさせることにより係止するものであることを特徴とする医療用ステープラ。
【請求項４】
請求項２，３いずれか１項に記載の医療用ステープラにおいて、前記被係止部と前記係止部との係止により、前記ステープル並設体が前記凹部の開口部を閉塞した場合において、前記ステープル並設体の後端部に当接して該ステープル並設体が戻り方向へスライドすることを阻止する戻りスライド阻止部が前記凹部に設けられていることを特徴とする医療用ステープラ。
【請求項５】
請求項４記載の医療用ステープラにおいて、前記戻りスライド阻止部は、弾性変形した後に復帰動して前記ステープル並設体の基端部を押圧するように構成されていることを特徴とする医療用ステープラ。
【発明の詳細な説明】
【技術分野】
【０００１】
本発明は、医療用ステープラに関するものである。
【背景技術】
【０００２】
従来から、外科手術で使用される医療用ステープラとして、特開２０００−２１７８２９に開示されるような医療用ステープラ（以下、従来例）が提案されている。
【０００３】
この従来例は、本体に枢着される握持操作部と、複数のステープルを収納するステープル収納部と、このステープル収納部に収納されたステープルを順次押し出すステープル押出し部と、握持操作部の握持操作により作動し、ステープル押出し部で押し出されたステープルを変形させるステープル変形部を具備するものであり、この押し出されて変形するステープルによって生体組織の縫合が行われる。
【先行技術文献】
【特許文献】
【０００４】
【特許文献１】特開２０００−２１７８２９公報
【発明の概要】
【発明が解決しようとする課題】
【０００５】
ところで、従来例のステープル収納部は、本体の裏面側に設けた凹部に、複数のステープルが傾斜立設状態で整列並設されたステープル並設体を嵌合装着して構成されており、このステープル並設体は、本体の凹部開口縁に溶接される構造（取外し不能構造）であり、製造時にステープルの配設状況が劣悪であると確認された場合、ステープルの配設状態を適正な状態に直したくても直せないという問題点があった。
【０００６】
本発明は、前述した問題点を解消するもので、従来にない作用効果を発揮する画期的な医療用ステープラを提供するものである。
【課題を解決するための手段】
【０００７】
添付図面を参照して本発明の要旨を説明する。
【０００８】
本体10の裏面側に設けられる凹部１に、複数のステープル50を並設したステープル並設体２を嵌合装着して成る医療用ステープラであって、前記ステープル並設体２は、基板２’に前記ステープル50を整列並設させる整列並設部２ａが設けられたもので、このステープル並設体２は、前記凹部１に対して着脱自在に設けられていることを特徴とする医療用ステープラに係るものである。
【０００９】
また、請求項１記載の医療用ステープラにおいて、前記凹部１の開口縁には係止部３が設けられ、また、前記ステープル並設体２の基板縁には前記係止部３と係止して該ステープル並設体２により前記凹部１を閉塞する被係止部２ｂが設けられていることを特徴とする医療用ステープラに係るものである。
【００１０】
また、請求項２記載の医療用ステープラにおいて、前記被係止部２ｂと前記係止部３との係止は、前記ステープル並設体２を前記本体10に対して前方へスライドさせることにより係止するものであることを特徴とする医療用ステープラに係るものである。
【００１１】
また、請求項２，３いずれか１項に記載の医療用ステープラにおいて、前記被係止部２ｂと前記係止部３との係止により、前記ステープル並設体２が前記凹部１の開口部１ａを閉塞した場合において、前記ステープル並設体２の後端部に当接して該ステープル並設体２が戻り方向へスライドすることを阻止する戻りスライド阻止部４が前記凹部１に設けられていることを特徴とする医療用ステープラに係るものである。
【００１２】
また、請求項４記載の医療用ステープラにおいて、前記戻りスライド阻止部４は、弾性変形した後に復帰動して前記ステープル並設体２の基端部を押圧するように構成されていることを特徴とする医療用ステープラに係るものである。
【発明の効果】
【００１３】
本発明は上述のように構成したから、前述した従来例と異なり、製造時にステープルの配設状況が劣悪であると確認された場合、ステープル並設体を取り外してステープルを適正な状態に直すことができ、しかも、製造コストが安くなるなど、従来にない作用効果を発揮する画期的な医療用ステープラとなる。
【図面の簡単な説明】
【００１４】
【図１】本実施例を示す斜視図である。
【図２】本実施例の要部を説明する分解斜視図である。
【図３】本実施例の要部を説明する断面図である。
【図４】本実施例の要部の動作説明図である。
【図５】本実施例のステープル並設体２の取り付け説明断面図である。
【図６】本実施例のステープル並設体２の取り付け説明断面図である。
【図７】本実施例のステープル並設体２の取り付け説明断面図である。
【発明を実施するための形態】
【００１５】
好適と考える本発明の実施形態を、図面に基づいて本発明の作用を示して簡単に説明する。
【００１６】
本発明の製造に際して、ステープル並設体２の整列並設部２ａにステープル50を整列並設し、この状態でステープル並設体２を本体10の裏面側に設けられた凹部１に嵌合装着し、凹部１を閉塞する。
【００１７】
この際、例えばステープル50の配設状況が劣悪であると確認された場合、ステープル並設体２を取り外してステープル50を適正な状態に直すことができる。
【実施例】
【００１８】
本発明の具体的な実施例について図面に基づいて説明する。
【００１９】
本実施例は、本体10の裏面側に設けられる凹部１に、複数のステープル50を並設したステープル並設体２を嵌合装着して成る医療用ステープラＫである。
【００２０】
具体的には、この医療用ステープラＫは、図１に図示したように合成樹脂製の本体10に枢着される握持操作部11と、ステープル50を収納するステープル収納部５と、このステープル収納部５に収納されたステープル50を順次押し出すステープル押出し部12と、握持操作部11の握持操作により作動し、ステープル押出し部12で押し出されたステープル50を変形させるステープル変形部13を具備するものであり、この押し出されて変形するステープル50によって生体組織の縫合が行われる。
【００２１】
この本体10に設けられる握持操作部11，ステープル押出し部12及びステープル変形部13はいずれも公知構造であり、図４に図示したように握持操作部11の握持操作により、ステープル押出し部12で押し出されたステープル50をステープル変形部13の受け部13ａで受けつつ左右押圧部13ｂが押圧することでステープルが方形環状となり、この押し出されて変形するステープル50によって生体組織の縫合が行われる。
【００２２】
符号14は、ステープル並設体２に設けられた凸条部２ａにスライド自在に設けられ付勢部材15により付勢される押し部材であり、この押し部材14がステープル50を常時押圧するように設けて前記ステープル押出し部12が構成されている。
【００２３】
ステープル収納部５は、図３に図示したように本体10の下方部位に嵌合連結される樹脂製のケース体９と、このケース体９の下方にして本体１の裏面側に開口する凹部１に、複数のステープル50を傾斜立設状態で整列並設させる整列並設部２ａを備えたステープル並設体を嵌合装着して構成されている。
【００２４】
このケース体９の上方部位には前述したステープル押出し部12が設けられ、前方部位には前述したステープル変形部13が設けられている。
【００２５】
尚、凹部１は本体10に一体成形された構造でも良い。
【００２６】
また、凹部１は、開口部１ａの前後方向左右部位に段状部が設けられ、この各段状部は後述するステープル並設体２をスライド自在に配設し得るガイド部１ｂとして構成されている。
【００２７】
また、この凹部１の開口部１ａの縁部にして左右のガイド部１ｂの前後位置には、鉤状の凸部３が設けられており、この凸部３は、ステープル並設体２を開口部１ａに配してスライドさせた際、ステープル並設体２の被係止部２ｂに係止して該ステープル並設体２を保持する係止部３として構成されている。
【００２８】
また、この凹部１の開口部１ａの縁部にして後端部には、被係止部２ｂに係止部３を係止させた際、ステープル並設体２の後端部に当接して戻り方向へのスライドを阻止する戻りスライド阻止部４が設けられている。
【００２９】
この戻りスライド阻止部４は、図３に図示したように適宜な合成樹脂製の部材で形成された弾性突片であり、ステープル並設体２を開口部１ａに配して前方へスライドさせた際、弾性変形した後に復帰動してステープル並設体２の後端部に当接するように構成されている。
【００３０】
従って、凹部１にはステープル並設体２が着脱自在に設けられている。
【００３１】
ステープル並設体２は、図１〜３に図示したように適宜な金属製の部材で形成された板板２’で構成され、その長さ方向左右位置に二本の凸条部２ａが折曲して設けられ、この各凸条部２ａは、ステープル50を傾斜立設状態で整列並設する整列並設部２ａとして構成されている。
【００３２】
また、ステープル並設体２の左右側縁部（基板縁）は、前述した開口部１ａのガイド部１ｂに重合状態となってスライドするように構成されており、この左右側縁部の前後位置には凹部２ｃが切り欠き状に設けられている。
【００３３】
この凹部２ｃは、開口部１ａのガイド部１ｂにステープル並設体２の左右側縁部を配設する際に、係止部３に当たらずに通過することで、ステープル並設体２の左右側縁部を配設可能とするものである。
【００３４】
従って、この凹部２ｃを介して開口部１ａにステープル並設体２を配設し（図５参照）、この状態でステープル並設体２をスライド移動させることで、この凹部２ｃ以外の部位（被係止部２ｂ）に係止部３が係止してステープル並設体２は保持され、この際、戻りスライド阻止部４が復帰してステープル並設体２の後端部に当接して戻り方向へのスライドが阻止される（図６参照）。
【００３５】
また、ステープル並設体２を取り外す際には、戻りスライド阻止部４を押し込んで弾性変形させてステープル並設体２の後端部への当接を解除し、この状態でステープル並設体２を戻りスライドさせた後、凹部２ｃに係止部３を通過させることでステープル並設体２を開口部１ａから取り外して開くことができる。
【００３６】
本実施例は上述のように構成したから、本実施例の製造に際して、ステープル並設体２の整列並設部２ａにステープル50を並設し、この状態でステープル並設体２を本体10の裏面側に設けられた凹部１に嵌合装着し、凹部１の開口部１ａを閉塞する（図４，５，６参照）。
【００３７】
この際、例えばステープル50の配設状況が劣悪であると確認された場合、ステープル並設体２を取り外してステープル50を適正な状態に直すことができる。
【００３８】
また、本実施例は、凹部１の開口縁には係止部３が設けられ、また、ステープル並設体２の基板縁には係止部３と係止して該ステープル並設体２により凹部１を閉塞する被係止部２ｂが設けられているから、凹部１を閉塞するステープル並設体２を確実に保持することができ、しかも、簡易構造故に製造コストが安くなる。
【００３９】
また、本実施例は、被係止部２ｂと係止部３との係止は、ステープル並設体２を本体10に対して前方へスライドさせることにより係止するものであるから、組み立てが簡易に行われる。
【００４０】
また、本実施例は、被係止部２ｂと係止部３との係止により、ステープル並設体２が凹部１の開口部１ａを閉塞した場合において、ステープル並設体２の後端部に当接して該ステープル並設体２が戻り方向へスライドすることを阻止する戻りスライド阻止部４が凹部１に設けられているから、この点においても組み立てが簡易に行われる。
【００４１】
また、本実施例は、戻りスライド阻止部４は、弾性変形した後に復帰動してステープル並設体２の基端部を押圧するように構成されているから、ステープル並設体２の開閉が極めて簡易且つ迅速に行えることになる。
【００４２】
尚、本発明は、本実施例に限られるものではなく、各構成要件の具体的構成は適宜設計し得るものである。
【符号の説明】
【００４３】
１  凹部
１ａ  開口部
２  ステープル並設体
２’  基板
２ａ  整列並設部
２ｂ  被係止部
３  係止部
４  戻りスライド阻止部
10  本体
50  ステープル
【図１】
2018027237.tif 000003
【図２】
2018027237.tif 000004
【図３】
2018027237.tif 000005
【図４】
2018027237.tif 000006
【図５】
2018027237.tif 000007
【図６】
2018027237.tif 000008
【図７】
2018027237.tif 000009